(57)【要約】  室内照明灯（１）は、車両の室内天井（２）に取り付け可能であり、開口部（１３）を有するハウジング（１０）と、開口部（１３）に配置されたルームライト用のレンズ（２１）と、ハウジング（１０）内に設けられ、開口部（１３）を囲む室（１７）と、室（１７）の隅に配置され、ルームライト用レンズ（２１）に向かって光を射出する発光ダイオード（３１）と、室（１７）内に配置されたリフレクタ（１５）とを備える。ルームライト用レンズ（２１）の板厚は、発光ダイオード（３１）から離れる程に薄くなっている。ルームライト用レンズ（２１）には、凸部（２１ｇ）が設けられている。
2019131526.tif 000002
【特許請求の範囲】
【請求項１】
室内照明灯であって、
車両の室内天井に取り付け可能であり、開口部を有するハウジングと、
前記開口部に配置されたレンズと、
前記ハウジング内に設けられ、前記レンズが配置された前記開口部を囲む室と、
前記室の隅に配置され、前記レンズに向かって光を射出する光源と、
前記室の内部に配置されたリフレクタと
を備え、
前記レンズの板厚は、前記光源から離れる程に薄くなっており、
前記レンズには、凸部又は凹部が設けられている
ことを特徴とする室内照明灯。
【請求項２】
請求項１記載の室内照明灯であって、
前記光源から離れる程に板厚が薄くなる複数の段差部が、前記レンズの前記光源側の面に設けられている
ことを特徴とする室内照明灯。
【請求項３】
請求項２記載の室内照明灯であって、
前記凸部又は凹部は、前記複数の段差部の境界に沿って設けられている
ことを特徴とする室内照明灯。
【発明の詳細な説明】
【技術分野】
【０００１】
本発明は、車両の室内天井に取付けられる室内照明灯に関する。
【背景技術】
【０００２】
この種の室内照明灯は、従来より種々提案されている（特許文献１、２参照）。かかる室内照明灯の一従来例として、車両の室内天井に取り付けられるハウジングと、ハウジングの下面側に設けられたスイッチノブと、ハウジングの下面側に設けられたレンズと、ハウジング内に配置された発光ダイオード等の光源とを備えたものがある。【０００３】
室内照明灯では、光源の照射光によってレンズが発光し、車両の室内に照射される。レンズがルームライト用レンズの場合には、レンズの全域をできるだけ均一に発光させる必要がある。そのため、従来例の室内照明灯では、光源を複数個配置したり、ルームライト用レンズの内側に導光板を一体に配置したりしていた。
【先行技術文献】
【特許文献】
【０００４】
【特許文献１】特開２０１６−２２１９８４号公報(JP 2016-221984 A)
【特許文献２】特開２００２−２３７５号公報(JP 2002-002375 A)
【発明の概要】
【０００５】
従来例の室内照明灯では、光源を複数個配置したり、ルームライト用レンズの内側に導光板を一体に配置させたりすることで、ルームライト用レンズの全域をできるだけ均一に発光させていた。しかし、この場合、ルームライト用レンズの発光面の見栄えが単調であり、装飾性を有する照明の要求がある。
【０００６】
本発明は、前記した課題を解決すべくなされたものであり、ルームライト用レンズの凸部又は凹部がルームライト用レンズの発光時に強調されることで、ルームライト用レンズの発光面のデザイン性を向上させることができる室内照明灯を提供することを目的とする。
【０００７】
本発明の態様に係る室内照明灯は、車両の室内天井に取り付け可能であり、開口部を有するハウジングと、開口部に配置されたレンズと、ハウジング内に設けられ、開口部を囲む室と、室の隅に配置され、レンズに向かって光を射出する光源と、室の内部に配置されたリフレクタとを備える。レンズの板厚は、光源から離れる程に薄くなっている。レンズには、凸部又は凹部が設けられている。
【０００８】
本発明の態様に係る室内照明灯によれば、レンズに設けられた凸部又は凹部がレンズの発光時に強調されることにより、レンズの発光面のデザイン性を向上させることができる。
【図面の簡単な説明】
【０００９】
【図１】図１は、実施形態に係る室内照明灯を、車室内から室内天井を見上げるようにして見た図である。
【図２】図２は、図１中Ａ−Ａ線に沿う断面図である。
【図３】図３は、図１中Ｂ−Ｂ線に沿う断面図である。
【図４】図４は、実施形態に係る室内照明灯のリフレクタを表面側から見た斜視図である。
【図５】図５は、実施形態に係る室内照明灯のリフレクタを裏面側から見た斜視図である。
【発明を実施するための形態】
【００１０】
以下、実施形態を図面に基づいて説明する。
【００１１】
図１―５は、実施形態を示す。実施形態に係る室内照明灯であるマップランプ１は、車両の前席より前方位置の室内天井２に取り付けられている。
【００１２】
マップランプ１は、室内天井２に取り付けられたハウジング１０と、ハウジング１０の下面側に配置された左右一対のスポットライト用レンズ２０及び左右一対のルームライト用レンズ２１と、ハウジング１０の下面側に配置された複数のスイッチノブ２５と、ハウジング１０内に配置された基板３０とを備える。
【００１３】
ハウジング１０は、光を透過しない部材（例えば、光不透過性の合成樹脂材）より形成されている。ハウジング１０は、ハウジング本体１１と、ハウジング本体１１に組み付けされ、ハウジング本体１１の天井側を被う天井側ハウジング部１２とを備える。ハウジング本体１１には、複数の遮光仕切壁１１ａが設けられている。ハウジング本体１１の下面側には、複数の遮光仕切壁１１ａで区画された各空間が開口する複数の第１開口部１３と複数の第２開口部１４が形成されている。
【００１４】
天井側ハウジング部１２には、室内天井２への取付部（不図示）が設けられている。
【００１５】
スポットライト用レンズ２０及びルームライト用レンズ２１は、各第１開口部１３を塞ぐようにして配置されている。スポットライト用レンズ２０は、車両の室内への露出面が小さな丸形である。ルームライト用レンズ２１は、車両の室内への露出面が大きな方形状である。
【００１６】
ルームライト用レンズ２１は、合成樹脂で形成されていて乳白色をしており、発光面（表面）２１ａは所定の曲率を有した曲面状に形成されている。また、図３に示すように、ルームライト用レンズ２１は、光源側の面である受光面（裏面）２１ｂ側を３色発光ダイオード（光源）３１から離れる程にレンズ２１の長手方向Ｙに直交する方向Ｘに沿って板厚が順々に薄くなる複数（実施形態では４つ）の段差部２１ｃ，２１ｄ，２１ｅ，２１ｆが形成されている。これら各段差部２１ｃ，２１ｄ，２１ｅ，２１ｆのレンズ２１の長手方向Ｙに延びる境界に沿って、凸部２１ｇが形成されている。即ち、複数の段差部２１ｃ，２１ｄ，２１ｅ，２１ｆの裏面２１ｂ側を３色発光ダイオード３１からの距離に応じて板厚がそれぞれ薄くなって段々状（階段状）に変化するように形成してある。
【００１７】
各スイッチノブ２５は、ハウジング本体１１の下面側の各第２開口部１４を塞ぐようにして配置されている。各スイッチノブ２５は、プッシュ式である。各スイッチノブ２５は、シンボルマーク部２５ｄを除いて光を透過しない部材より形成されている。各スイッチノブ２５は、ハウジング本体１１の表面に露出する操作部２５ａと、ハウジング本体１１内に突出するスイッチ押下ロッド（不図示）と、ハウジング本体１１内に突出する遮光壁（不図示）とを備える。
【００１８】
操作部２５ａには、光を透過する部材より形成されたシンボルマーク部２５ｄが設けられている。シンボルマーク部２５ｄは、当該スイッチノブ２５が担当する機能を視覚によって認識できるマーク形状である。１つのスイッチノブ２５の操作部２５ａには、シンボルマーク部２５ｄの他にインジケータ用レンズ２５ｅが付設されている。
【００１９】
基板３０は、ハウジング本体１１の遮光仕切壁１１ａの上面側に当接されている。基板３０は、遮光仕切壁１１ａの仕切による複数の開口の天井側を塞いでいる（図３参照）。つまり、３色発光ダイオード３１の照射光が天井側ハウジング部１２側に漏れないようになっている。基板３０には、複数の３色発光ダイオード（光源）３１と、複数のスイッチ素子ＳＷ等が実装されている。各３色発光ダイオード３１は、各スポットライト用レンズ２０、ルームライト用レンズ２１、各スイッチノブ２５に対応する、遮光仕切壁１１ａで仕切られた各領域にそれぞれ配置されている。インジケータ用レンズ２５ｅを有するスイッチノブ２５には、シンボルマーク部２５ｄの他にインジケータ用レンズ２５ｅに対応する領域にも各３色発光ダイオード３１が配置されている。
【００２０】
各３色発光ダイオード３１は、赤色（Ｒ）発光素子、緑色（Ｇ）発光素子、青色（Ｂ）発光素子を内蔵し、例えば電流値に応じて所定色の光を出射する。
【００２１】
各スイッチ素子ＳＷは、各スイッチノブ２５のスイッチ押下ロッド（不図示）の真下位置にそれぞれ配置されている。
【００２２】
次に、ルームライト用レンズ２１を発光させる箇所について説明する。
【００２３】
図２、３に示すように、ハウジング１０内には、ルームライト用レンズ２１が配置された第１開口部１３を囲む室１７が設けられている。３色発光ダイオード３１は、室１７の隅に配置されている。室１７には、表面が３色発光ダイオード３１の光を反射させる反射面になっている箱形のリフレクタ１５が配置されている。リフレクタ１５は、図４、５に示すような形状を有している。リフレクタ１５の表面には、反射率の高い白色またはアルミ蒸着等の反射処理が施されている。リフレクタ１５は、室１７の全ての内面に亘って配置されている。詳細すると、リフレクタ１５は、室１７の天井面に沿って配置されたフラット面部１５ａと、室１７の天井面側に配置された傾斜面部１５ｂと、室１７の全ての側面に沿って配置された側面部１５ｃとを備える。フラット面部１５ａは、ルームライト用レンズ２１の面に対し平行であり、３色発光ダイオード３１に近い天井面の領域に配置されている。傾斜面部１５ｂは、ルームライト用レンズ２１に対し傾斜（傾斜面部１５ｂが３色発光ダイオード３１に向く方向に傾斜）し、３色発光ダイオード３１から遠い天井面の領域に配置されている。
【００２４】
図４、５に示すように、リフレクタ１５には、傾斜面部１５ｂの裏面の中央に囲みリブ１５ｄが設けられ、側面部１５ｃの裏面の上端縁に異物混入防止リブ１５ｅが設けられている。異物混入防止リブ１５ｅは、ハウジング１０内に塵埃等の異物が入り込むのを防止する。また、傾斜面部１５ｂの傾斜によって落下する塵埃等の異物が囲みリブ１５ｄで捕獲され、下方に落下するのを防止する。
【００２５】
以上説明したように、マップランプ１は、車両の室内天井２に取り付けられ、第１開口部１３を有するハウジング１０と、第１開口部１３に配置されたルームライト用レンズ２１と、ハウジング１０内に設けられ、第１開口部１３を囲む室１７と、室１７の隅に配置され、ルームライト用レンズ２１に向かって光を射出する３色発光ダイオード３１と、室１７の内面に配置されたリフレクタ１５とを備える。ルームライト用レンズ２１の裏面２１ｂ側には、３色発光ダイオード３１から離れる程に板厚が薄くなる複数の段差部２１ｃ，２１ｄ，２１ｅ，２１ｆが設けられている。各段差部２１ｃ，２１ｄ，２１ｅ，２１ｆの境界に沿って、凸部２１ｇが設けられている。
【００２６】
従って、３色発光ダイオード３１の射出光の一部は、直接に、板厚の相違するルームライト用レンズ２１に照射されて透過され、また、射出光の他の一部は、リフレクタ１５の側面部１５ｃや傾斜面部１５ｂを１回、若しくは、複数回乱反射してルームライト用レンズ２１に照射される。このため、３色発光ダイオード３１は、ルームライト用レンズ２１の全域をできるだけ均一に発光させることができる。つまり、マップランプ１は、従来例のように、複数個の光源を用いて発光量を多くすることなく、また、導光板を用いることなくレンズの全域を均一に発光させることができる。
【００２７】
マップランプ１では、リフレクタ１５は、３色発光ダイオード３１に近い天井面の領域では、ルームライト用レンズ２１の面に対し平行なフラット面部１５ａに形成され、３色発光ダイオード３１から遠い天井面の領域では、ルームライト用レンズ２１の面に対し傾斜（傾斜面部１５ｂが３色発光ダイオード３１に向く方向に傾斜）している傾斜面部１５ｂに形成されている。
【００２８】
従って、マップランプ１では、３色発光ダイオード３１より遠いルームライト用レンズ２１の領域には、傾斜面部１５ｂの反射光が照射される。このため、傾斜面部１５ｂが、ルームライト用レンズ２１の全域を均一に発光させることに寄与する。
【００２９】
特に、３色発光ダイオード３１からの射出光は、その正面が明るく、正面から遠ざかる程暗くなる。また、ルームライト用レンズ２１は、板厚が厚い方が光を透過しずらく暗くなり、板厚が薄い方が明るくなる。このため、マップランプ１では、ルームライト用レンズ２１の裏面２１ｂ側の板厚が、３色発光ダイオード３１の正面側は厚く、遠ざかる部分は薄くなるように複数の段差部２１ｃ，２１ｄ，２１ｅ，２１ｆを形成した。そして、これら各段差部２１ｃ，２１ｄ，２１ｅ，２１ｆの裏面２１ｂ側を３色発光ダイオード３１からの距離に応じて板厚が薄くなって段々状に変化すように形成した。このことにより、マップランプ１では、ルームライト用レンズ２１の各段差部２１ｃ，２１ｄ，２１ｅ，２１ｆの発光面２１ａの明るさ（輝度）を均一にすることができる。更に、マップランプ１では、各段差部２１ｃ，２１ｄ，２１ｅ，２１ｆの境界に沿って凸部２１ｇをそれぞれ設けた。このことにより、ルームライト用レンズ２１の板厚が変化する境界部にある凸部２１ｇが、リフレクタ１５の反射光の照射を乱反射して強調される。このことにより、マップランプ１では、ルームライト用レンズ２１の発光面（表面）２１ａの見栄えが良く、ルームライト用レンズ２１の発光面（表面）２１ａのデザイン性（装飾性）を向上させることができる。
【００３０】
また、マップランプ１では、リフレクタ１５は、室１７の全ての内面に亘って配置されている。従って、マップランプ１では、室１７の内面のどの位置に照射される光も反射光となるため、３色発光ダイオード３１の発光がルームライト用レンズ２１に照射される効率が高くなり、ルームライト用レンズ２１が明るく発光する。
【００３１】
更に、リフレクタ１５は、傾斜面部１５ｂの裏面の中央に囲みリブ１５ｄを有し、かつ、側面部１５ｃの裏面の上端縁に異物混入防止リブ１５ｅ有する。従って、塵埃等の異物がルームライト用レンズ２１の裏面２１ｂ側に入り込むのを防止することができる。つまり、天井側ハウジング部１２には、基板３０のコネクタ３２に接続する車体側コネクタ（不図示）の挿入口等が開口される。このような開口よりハウジング１０内に塵埃等の異物が入り込む可能性があるが、異物混入防止リブ１５ｅでハウジング１０内に塵埃等の異物が入り込むのを防ぎ、更に、ハウジング１０内に塵埃等の異物が入り込んでも、囲みリブ１５ｄで捕獲されて下方に落下するのを防止することができる。
【００３２】
尚、実施形態に係る室内照明灯であるマップランプ１では、ルームライト用レンズ２１の光源３１側の面の受光面（裏面）２１ｂに形成された複数の段差部２１ｃ，２１ｄ，２１ｅ，２１ｆの境界に沿ってルームライト用レンズ２１の発光時の発光面（表面）２１ａのデザイン性を向上させるための凸部２１ｇを設けたが、凸部２１ｇの代わりに、凹部（セレーション）（不図示）或いは凹凸部（不図示）を設けて、ルームライト用レンズ２１の発光時の発光面（表面）２１ａのデザイン性を向上させるようにしても良い。凸部２１ｇは、ルームライト用レンズ２１の剛性を高める機能も有する。
【図１】
2019131526.tif 000003
【図２】
2019131526.tif 000004
【図３】
2019131526.tif 000005
【図４】
2019131526.tif 000006
【図５】
2019131526.tif 000007
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
室内照明灯であって、
車両の室内天井に取り付け可能であり、開口部を有するハウジングと、
前記開口部に配置されたレンズと、
前記ハウジング内に設けられ、前記レンズが配置された前記開口部を囲む室と、
前記室の隅に配置され、前記レンズに向かって光を射出する光源と、
前記室の内部に配置された、前記光源から射出された光を前記レンズに導くためのリフレクタと
を備え、
前記光源による前記レンズの表面の明るさを均一に近づけるように配置された、前記光源から離れる程に板厚が薄くなる複数の段差部が、前記レンズの前記光源側の面に設けられており、
前記レンズには、凸部又は凹部が設けられている
ことを特徴とする室内照明灯。
【請求項２】
（削除）
【請求項３】
請求項１記載の室内照明灯であって、
前記凸部又は凹部は、前記複数の段差部の境界に沿って設けられている
ことを特徴とする室内照明灯。
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
室内照明灯であって、
開口部を有するハウジングと、
前記開口部に配置されたレンズと、
前記ハウジング内に設けられ、前記レンズが配置された前記開口部を囲む室と、
前記室の隅に配置され、前記レンズに向かって光を射出する光源と、
前室の内部に配置された、前記光源から射出された光を前記レンズに導くためのリフレクタと、
を備え、
前記光源による前記レンズの表面の明るさを均一に近づけるように配置された、前記光源から離れる程に板厚が薄くなる複数の段差部が、前記レンズの前記光源側の面に設けられており、
前記レンズには、凸部又は凹部が設けられている
ことを特徴とする室内照明灯。
【請求項２】
請求項１記載の室内照明灯であって、
前記凸部又は凹部は、前記複数の段差部の境界に沿って設けられている
ことを特徴とする室内照明灯。
【国際調査報告】
2019131526.tif 000008
2019131526.tif 000009
2019131526.tif 000010